(57)【要約】自動インフレータ用ボビンアセンブリであり、概ね円柱状の壁と、ボビンの長手方向軸を中心として、軸に平行なリングに配置された複数のアームと、を含み、各アームは一体成形ヒンジによって、円柱状の壁の周縁に旋回できるように接続され、少なくとも１つのアームは、ボビンの長手方向の軸に向かって延在し、バネ仕掛けアクチュエータピンを「発射可能」位置に保持するためにアクチュエータピンのヘッドを保持する直径を有する環状シートを形成し、ボビンの長手方向軸を中心として、軸に平行に配置されたアームを保持し、環状シートはヘッドを保持するために直径を維持し、円柱状の壁のルーメンと、リング状のアームとの間に配置されたトロイダルなピルと、一緒に、それぞれの一体成形ヒンジを通じて、対を形成したアームが外側に旋回できるように、アームの少なくとも１つの隣接した対を相互接続しているウェブと、を有する。
2021521043.tif 000002
【特許請求の範囲】
【請求項１】
自動インフレータ用ボビンアセンブリであり、前記ボビンアセンブリは、組み合わせとして、
概ね円柱状の壁と、
ボビンの長手方向の軸を中心として、前記軸に平行なリングに配置された複数のアームと、
を有し、
各前記アームは一体成形ヒンジによって、前記円柱状の壁の周縁に旋回できるように接続され、
少なくとも１つの前記アームは、前記ボビンの長手方向の軸に向かって延在し、バネ仕掛けアクチュエータピンを「発射可能」位置に保持するために、前記自動インフレータの前記バネ仕掛けアクチュエータピンのヘッドを保持する直径を有する環状シートを形成する半径方向のシートを含み、
前記ボビンアセンブリは、さらに、
前記ボビンの長手方向の軸を中心として、前記軸に平行に配置された前記アームを保持し、前記環状シートは前記バネ仕掛けアクチュエータピンの前記ヘッドを保持するために前記直径を維持し、前記バネ仕掛けアクチュエータピンを前記「発射可能」位置に保持するように、前記円柱状の壁のルーメンと、前記リング状のアームとの間に配置されたトロイダルなピルと、
前記アームの少なくとも１つの隣接した対を相互接続して（interconnecting）、前記対を形成した前記アームが一緒に、それぞれの前記一体成形ヒンジを通じて、外側に旋回できる、ウェブと、
を有する、ボビンアセンブリ。
【請求項２】
少なくとも１つの前記アームは、前記アームに付加的な剛性を設けるため、前記アームの長さに沿って、前記アームの前記一体成形ヒンジ側の端部から延在するバットレス（buttress）を含む、請求項１に記載のボビン。
【請求項３】
前記バットレス（buttress）が、前記リング状のアームの長さ上に前記ピルが押し出される距離を制限する、請求項２に記載のボビン。
【請求項４】
前記アームが、前記リング状のアーム上における前記ピルの自動的な中心出しおよび押出を容易にする面取りされた端部を含む、請求項３に記載のボビン。
【請求項５】
前記ピルが水に溶解すると、
前記リング状のアームは、前記バネ仕掛けアクチュエータピンの前記ヘッドの圧力下でそれぞれの前記一体成形ヒンジを通じて、半径方向外側に曲がることができ、それぞれの前記半径方向のシートは、前記バネ仕掛けアクチュエータピンの前記ヘッドのための前記環状シートを形成しなくなるような増大した直径まで広がり、よって、前記インフレータを作動させる前記バネ仕掛けアクチュエータピンの前記ヘッドを解放する、請求項４に記載のボビン。
【請求項６】
前記ピルは、前記バネ仕掛けアクチュエータピンを保持するため、前記平行な位置に前記アームを保持する充分な強度を有する、請求項１に記載のボビン。
【請求項７】
前記ピルは、前記アームが半径方向外側に曲がり、前記バネ仕掛けアクチュエータピンを解放することができるように、水に露出されると溶解可能である、請求項１に記載のボビン。
【請求項８】
８本の前記アームを含み、４つの前記隣接した対を形成したアームを形成し、各対を形成したアームはそれぞれの前記ウェブ（web）によって相互接続されている（interconnect）、請求項１に記載のボビン。
【請求項９】
少なくとも１つの前記相互接続された（interconnecting）ウェブ（web）は、それぞれの前記バットレス（buttress）と略同じ高さで、隣接する前記アームの間で一体的に延在する、請求項２に記載のボビン。
【請求項１０】
少なくとも１つの前記ウェブ（web）の構造は薄く、前記リング状のアームの外側湾曲と一致するように正確に湾曲した、請求項１に記載のボビン。
【請求項１１】
前記ボビンは一体的に成形されている、請求項１に記載のボビン。
【発明の詳細な説明】
【技術分野】
【０００１】
（関連出願の参照）
本出願は、２０１８年４月６日に出願された米国仮特許出願、出願番号第６２／６５３，９９９号に基づく利益を主張し、出願の開示は参照によって本明細書に組み込まれる。
【０００２】
本発明は、救命ボート、救命胴衣等の膨張可能な物品のための自動インフレータに関する。より詳細には、本発明は、水に浸されると自動的に作動されるインフレータに関する。
【背景技術】
【０００３】
現在、個人浮揚装置（救命胴衣、浮き輪、馬蹄形浮き袋）、救命ボート、浮き（ブイ）、緊急信号装備等の膨張可能な物品を膨らませるように設計された多くの形式のインフレータが存在する。手動のインフレータは、典型的には、二酸化炭素等の圧縮されたガスのカートリッジのネックを受けるための本体を備える。往復運動する穿孔ピンは、インフレータの本体内に配置され、カートリッジの破れやすいシールを突き刺し、圧縮されたガスをインフレータのマニホールドアセンブリ内に、そして、膨らませる物品内に流入させることを可能にする。典型的には、手動で移動可能な発射レバーが穿孔ピンに操作的に接続されており、ボールストラップを引くと、穿孔ピンがガスカートリッジの破れやすいシールを突き刺す。米国特許第３，８０９，２８８号は、開示が参照により本明細書に組み込まれ、手動インフレータの特定の一実施形態を示している。
【０００４】
手動インフレータは適切に稼働する一方、緊急事態において、墜落した飛行士、負傷者または船から水中に落ちた者等、膨張可能な装置による援助を必要とする者は、インフレータを手動で作動させることに失敗しまたは作動させることができないことが、早い段階で判明した。よって、このような緊急事態において、インフレータを自動的に作動させるための手段が設けられているべきだとわかった。
【０００５】
先行技術による手動インフレータの判明した欠点に対して、水によって作動される自動インフレータが開発された。水に浸されると、インフレータの穿孔ピンが自動的に作動され、よって、膨張可能な装置の膨張を引き起こす。水によって作動される典型的な自動インフレータは、水によって作動されるアクチュエータを備える。アクチュエータは、「ボビン」と呼ばれる水に破壊されるまたは溶解可能な要素を含み、ボビンは、バネ仕掛けのアクチュエータピンを発射可能位置で、穿孔ピンと位置を合わせて、保持する。水に露出されると、ボビン内に含まれる溶解可能な「ピル」は、すぐ溶解し始め、全てが破壊され、破壊されると、ピルは、バネ仕掛けアクチュエータピンを発射可能位置内に保持する能力を失う。よって、バネ仕掛けアクチュエータピンは解放され、その発射可能位置から、中間伝達ピンにより直接的にまたは間接的に穿孔ピンを打つための作動された位置に強制的に移動させる。穿孔ピンを打つと、ピンはカートリッジのシールを破壊し、その中に収容されたガスが膨張可能な装置を膨らませるために装置内に流入することができる。
【０００６】
代表的なインフレータ用自動アクチュエータは、米国特許第３，０５９，８１４号、第３，０９１，７８２号、第３，４２６，９４２号、第３，５７９，９６４号、第３，７０２，０１４号、第３，７５７，３７１号、第３，９１０，４５７号、第３，９９７，０７９号、第４，２２３，８０５号、第４，２６７，９４４号、第４，２６０，０７５号、第４，３８２，２３１号、第４，４３６，１５９号、第４，５１３，２４８号、第４，６２７，８２３号、第５，０７６，４６８号、第５，６０１，１２４号、第５，６８５，４５５号、第５，５６２，２３３号、第５，３７０，５６７号、第５，３３３，７５６号、第４，４８８，５４６号、第５，６９４，９８６号内に開示され、これらの開示は参照により本明細書に組み込まれる。
【０００７】
溶解可能なピルを備える自動インフレータの欠点は、空気中の過剰な湿気にピルをさらすことによって、緊急でない状況において、ピルが時期尚早に破壊する傾向である。湿度から受ける影響を最小限に抑えるため、様々な設計および化学的組成を有するボビンピルが使用されてきた。
【０００８】
逆に、ボビン内のピルの湿気耐性を向上させる試みは、冷水（即ち、凍結温度付近の水）への溶解に対して過剰な耐性を有するピルの組成および構成をもたらすことがある。冷水への溶解に対する耐性は、遅れた作動をもたらす。遅れた作動は、水中に浸された後、自動インフレータが自動的に素早く（即ち、数秒以内に）発射することを要する用途において望ましくない。
【発明の概要】
【発明が解決しようとする課題】
【０００９】
例えば、米国特許第６，７０５，４８８号および第７，５７２，１６１号の開示は、参照により本明細書に組み込まれる。これらは、自動インフレータ用のボビンのためのピルの様々な構成を開示し、水中に沈められるとピルが溶解するように充分な溶解性を維持しつつ、意図しないまたは時期尚早な作動を引き起こす湿気に対する影響の受けやすさを抑制することを求める。
【００１０】
よって、本発明の目的は、先行技術の装置の前述の欠点を克服する改善を提供することにあり、膨張の分野の推進に重大な貢献である改善を提供する。
【００１１】
本発明の他の目的は、自動インフレータ用の湿気耐性を有するボビンであり、湿度によって、緊急でない状況において、望まれることなく、時期尚早に自動インフレータを作動させ得る多湿環境から影響を受けにくいボビンを提供することにある。
【００１２】
本発明の他の目的は、凍結温度付近の冷水内に沈められた後、素早く作動する自動インフレータ用の寒冷気候に適したボビンを提供することにある。
【００１３】
これらの目的は、意図された発明のより顕著な特徴および用途のいくつかを単に例示すると解釈されるべきである。本開示の範囲内で、開示された発明を異なる方法で適応するか、または本発明を改造することで、多くの他の有益な結果が達成され得る。よって、他の目的および本発明のより包括的な理解は、添付の図面と併せて請求項によって定義される本発明の範囲に加えて、本発明の概要および望ましい実施の形態の詳細な説明を参照して得ることができる。
【課題を解決するための手段】
【００１４】
本発明は、添付の図面に示される特定の実施の形態とともに、添付の請求項によって定義される。本発明を要約する目的で、本発明は、水によって作動される自動インフレータ用の湿気耐性を有し、寒冷気候に適したボビンを備える。自動インフレータは、自動インフレータを時期尚早に作動させ得る多湿気候条件から影響を受けにくい一方、ボビンのピルの凍結温度付近の冷水への溶解にかかる時間を最小限にする。
【００１５】
先行技術のボビンは、ボビンの軸と概ね平行に延在し個別に旋回するアーム（例えば、８本のアーム）の崩壊可能な環状リングをその内部に有する円状のハウジングを備える。トロイダルな、溶解可能なピルは、個別に旋回するアームのリングの周りに配置され、アームをその崩壊していない、概ね平行な位置に保持し、外側に崩壊することを防止する。個別に旋回するアームは、それぞれ内側に延在する半径方向の段差を含み、併せると、発射可能位置内にバネ仕掛けアクチュエータを保持する環状のシートを形成する。水中に沈められたピルの溶解によって、それぞれの個別に旋回するアームおよびそれらの段差は、アクチュエータの一定の圧力下で、もはやボビンの軸に対して平行でない位置に、外側に個別に旋回することができる。アームが外側に旋回することによって、それぞれの段差は同様に外側に移動し、アクチュエータを保持できなくなるまで環状のシートの直径を拡大させる。よって、バネ仕掛けアクチュエータを解放（即ち、発射）し、ガスカートリッジの破れやすいシール内に穿孔ピンを押し込む。
【００１６】
典型的に、先行技術のボビンのピルは、望ましい構成に圧縮された結晶セルロース（例えば、ＦＭＣコーポレーション１７３５マーケットストリート、フィラデルフィア、ＰＡ、１９１０３によって製造されるＡｖｉｃｅｌ（登録商標）ＰＨ−１０２）および促進剤（例えば、ＡｃＤｉＳｏｌ促進剤）を有する。この組成は、圧縮強度を最大化しつつ、多湿気候条件による水分に対して耐性を有する、という特徴のため選択される。ピル内に粉末を圧縮する方法は、多湿気候条件に対するピルの耐性を向上される薄膜に似ている外側表面を生成する。湿度に対するピルの耐性を向上させ、圧縮力を増加させるため、セルロース粉末に化学添加物を組み合わせてもよい。
【００１７】
本発明のボビンは、同様に、発射可能位置内にバネ仕掛けアクチュエータを保持するために、溶解可能なピルによってある位置に保持される旋回するアーム（例えば、８本のアーム）の崩壊可能な環状リングを含む。しかしながら、先行技術のボビンと異なり、本発明においては、隣接する旋回するアームの一つ置きの対は、相互接続された（interconnecting）ウェブ（web）によって互いに接続される。よって、先行技術の場合のように個別にではなく、隣接する対としてのみ外側に旋回することができる。例えば、環状のリングを形成する８本の旋回するアーム１−８を有するボビン内において、アーム１と２、３と４、５と６および７と８は、それぞれ、ウェブ（web）を通じて相互接続され（interconnected）、相互接続された（interconnected）旋回するアームの４つの対を形成する。ピルを溶解するために水中に沈められると、対を形成している相互接続された（interconnected）旋回するアームは、それぞれのウェブ（web）を通じて相互接続されている（interconnected）ため、バネ仕掛けアクチュエータの圧力下で、対となって一致して一緒に外側に旋回し、よってバネ仕掛けアクチュエータを発射する。
【００１８】
本発明を実施する最良の形態において、上記で説明したように隣接する旋回するアームをウェブ（web）することが望ましいことが判明した。しかしながら、他のウェブされた（webbed）構成も可能であると認められる。例えば、８本のアームを有するボビンにおいて、アーム１と２、４と５および７と８はウェブ（web）を通じて相互接続されて（interconnected）もよく、ウェブ（web）されていないアーム３および６は自由に個別に旋回できる。他の例として、８本のアームを有するボビンにおいて、アーム１と２および５と６は互いにウェブ（web）され、ウェブ（web）されていないアーム３、４、７および８は自由に個別に旋回できる。
【００１９】
先行技術のボビンに対する本発明のボビンの試験は、凍結温度付近の冷水において、平均発射時間は５．７０−７．３４秒から１．９２−２．０１秒に改善されたことを示す。
【００２０】
前述のことは、本発明のより適切なおよび主要な特徴をかなり広範に概説している。後続の本発明の詳細な説明は、先行技術に対する貢献をより完全に享受できるように提供する。本発明の追加の特徴は、以下で説明する。これらは、本発明の請求項の主体を形成する。発案と開示された特定の実施の形態とは、本発明と同じ目的を実現する他の方法および構造を改造または設計するための基礎として容易に使用してもよいと、当業者に認められる。このような同等な構造は、添付の請求項に記載される発明の精神および範囲から離脱しないと、当業者は理解されよう。
【００２１】
本発明の性質および目的をより簡潔に理解するためには、添付の図面と併せて後続の説明を参照されよう。
【図面の簡単な説明】
【００２２】
【図１】様々な内部部品および互いに対する相対的な位置を示す例示的な自動インフレータアセンブリの長手方向の断面図である。
【図２】ボビンの軸と概ね平行に延在する個別に旋回するアーム（例えば、８本のアーム）の崩壊可能な環状のリングを有する円状ハウジングを備える先行技術のボビンの下面透視図である。
【図３】個別に旋回するアームをその崩壊していない概ね平行な位置に保持し、外側に崩壊することを防止するために、旋回するアームのリングの周りに配置されたトロイダルな溶解可能なピル（例えば、米国特許第７，５７２，１６１号）を示す２−２線に沿った図２の断面図である。
【図４】一つ置きの対の隣接した旋回するアームは相互接続された（interconnecting）ウェブ（web）によって互いに接続された本発明のボビンの上面透視図である。
【図５】本発明のボビンの下面透視図である。
【図６】ピルが設置されていない本発明のボビンの下面図である。
【図７】アームをその崩壊していない概ね平行な位置に保持し、外側に崩壊することを防止するために、旋回するアームのリングの周りに設置されたトロイダルな溶解可能なピルを有する本発明のボビンの下面図である。
【図８】８−８線に沿った図７の断面図である。
【図９】隣接したウェブされた（webbed）アームを示す、本発明のボビンの部分図である。
【発明を実施するための形態】
【００２３】
類似の参照番号は、複数の図面において、類似の部品を示す。
【００２４】
米国特許第５，６０１，１２４から複製された図１は、インフレータ本体１２と、アクチュエータ本体アセンブリ１４と、円柱状キャップアセンブリ１６とを有する、例示的な先行技術の自動インフレータ１０を示す。インフレータ本体１２は、原則として符号１８で示され、往復運動できるようにその中に配置された穿孔ピンアセンブリ２０を受けるように寸法が決められた長手方向の中央ボアを有する。ガスを収容するカートリッジ２２は、穿孔ピンアセンブリ２０と位置を合わせて、インフレータ本体にネジ係合されている（threadably coupled）。
【００２５】
穿孔ピンアセンブリ２０は、端部２６を有する穿孔ピン２４と、シールガスケット２８と、小さい圧縮バネ３０とを有する。内部ネジ（thread）３４とガスケット３６とを有する一般的な金属インサート３２は、インフレータ本体１２内にその場で成形される。ガス収容カートリッジ２２は金属インサート３２内にネジ締めされる（threaded）。ガスカートリッジ２２の破れやすいシールは、穿孔ピンアセンブリ２０がカートリッジ２２に向かって強制的に移動されるときに突き刺される。
【００２６】
自動インフレータ１０は、水に浸されるとすぐに自動的に、または手動で、発射されてもよい。手動のアクチュエータ手段は、一般的にＬ型形状のレバー３８を含む。レバー３８は、インフレータ本体１２、レバー３８の遠位部分に配置された孔４２および中間伝達ピン４６の第２溝部４４を通過する旋回ピン４０によって、旋回するようにインフレータ本体１２に取り付けられている。旋回ピン４０は、さらに、アクチュエータ本体アセンブリ１４をインフレータ本体１２に強固に固定する役割を果たす。
【００２７】
レバー３８の遠位端部４８はカム延在部５０を有する。ストラップハンドル５２はレバー３８に結ばれている。ストラップハンドル５２が引かれると、カム延在部５０は、穿孔ピンアセンブリ２０の端部２６を強制的に係合させ、よって、ガス収容カートリッジ２２が突き刺される。
【００２８】
アクチュエータ本体アセンブリ１４は、一般的にアクチュエータ本体５４と、アクチュエータピン５５と、中間伝達ピン４６と、典型的なＯリング５６と、ボビン５８とを有する。重いバネ５７は、アクチュエータピン５５のヘッド５５Ｈをボビン５８に対して強制的に付勢する。
【００２９】
図２−３でより明確に示されているように、例示的な先行技術のボビン５８は溶解可能なピル６０を含む。ボビン５８は、概ね円柱状の壁６６を有する。ボビン５８の長手方向の軸を中心として、それに平行なリング内に配置される複数のアーム６８は、一体成形ヒンジ７０によって円柱状の壁６６の周縁に個別に旋回するように接続される。
【００３０】
各アーム６８は、個別に、ボビン５８の長手方向の軸に向かって延在する半径方向のシート７２を含む。併せて、個別の半径方向のシート７２は、バネ仕掛けアクチュエータピン５５のヘッド５５Ｈを拘束し保持するような寸法を有する直径を有する環状シートを形成する。よって、環状シートは、バネ仕掛けアクチュエータピン５５を、バネ５７の力に対抗して、「発射可能」位置に保持する。
【００３１】
トロイダルなピル６０は、ボビン５８の長手方向の軸を中心として、それに平行に配置されたアーム６８を保持するため、円柱状の壁６６のルーメンとリング状のアーム６８との間に配置されている。よって、アーム６８の半径方向のシート７２に形成される環状のシートは、バネ仕掛けアクチュエータピン５５のヘッド５５Ｈを拘束し保持するような寸法を有するその直径を維持でき、バネ仕掛けアクチュエータピン５５を、バネ５７の力に対抗して、「発射可能」位置に保持する。
【００３２】
各アーム６８は、アーム６８の長さに沿って、アーム６８の一体成形ヒンジ側の端部から延在するバットレス（buttress）７６を含んでもよいことを留意する。バットレス（buttress）７６は、アーム６８に付加的な剛性を与え、アセンブリの際に、ピル６０が、リング状のアーム６８の長さ上に押し出される距離を制限する役割を果たす。さらに、各アーム６８は面取り端部６８ＣＣを含んでもよく、リング状のアーム６８上におけるピル６０の自動的中心出しおよび押出を容易にする。
【００３３】
アセンブリ後、ピル６０が水中に溶解すると、リング状のアーム６８は、バネ仕掛けアクチュエータピンのヘッド５５Ｈの圧力下のそれぞれの一体成形ヒンジ７０を通じて、個別に外側に半径方向に曲がることができる。アーム６８が外側に曲がると、それらの半径方向のシート７２は広がり、アクチュエータピン５５のヘッド５５Ｈのための環状シートを形成しなくなった増大した直径に到達し、バネ仕掛けアクチュエータピン５５のヘッド５５Ｈは解放され、伝達ピン４６を通じて穿孔ピン２０を作動させるため、バネ５７の力によって強制的に移動される（即ち、アクチュエータ１０は自動的に「発射」される）。
【００３４】
ピル６０は、バネ仕掛けアクチュエータピン５５を保持するため、アーム６８をその平行な位置に保持する充分な強度を有する必要がある一方、アーム６８が半径方向外側に曲がることができ、アクチュエータピン５５が発射できるよう、水に露出されると溶解できることが必要であると、認められる。
【００３５】
本発明のボビン８２は図４−９内に示されている。本発明のボビン８２は、先行技術のボビン５８と類似する要素を含む。よって、統一性および明確性のため、図４−９において、本発明のボビン８２を説明する際に、先行技術のボビン５８と関連して使用されるものと同じ参照符号を使用する。
【００３６】
図４−９に示すように、本発明のボビン８２は、一体成形ヒンジ７０によって円柱状の壁６６の周縁に旋回できるように接続された複数のアーム６８を有し、概ね円柱状の壁６６を有する。アーム６８は、円柱状の壁６６内に延在し、ボビン５８の長手方向の軸を中心として、それに平行なリング内に配置される。よって、それぞれの半径方向のシート７２は、バネ仕掛けアクチュエータピン５５のヘッド５５Ｈを拘束し保持するような寸法を有する直径を有する環状シートを形成する。よって、環状シートは、バネ仕掛けアクチュエータピン５５を、バネ５７の力に対抗して、「発射可能」位置に保持する。
【００３７】
先行技術と異なり、アーム６８は対を形成しており、各対の２つのアーム６８はウェブ（web）８４によって互いに相互接続されている（interconnected）。ウェブ（web）８４によって相互接続され（interconnect）対を形成したアーム６８は、先行技術のように個別にではなく、一緒にそれぞれの一体成形ヒンジ７０を通じて外側に旋回する。
【００３８】
示すように、８本のアーム６８Ａ−６８Ｈを有するボビン８２において、望ましくは、隣接するアーム６８Ａと６８Ｂ、６８Ｂと６８Ｄ、６８Ｅと６８Ｆ、および、６８Ｇと６８Ｈは、対を形成し、それぞれのウェブ（web）８４ＡＢ、８４ＣＤ，８４ＥＦおよび８４ＧＨによって相互接続される（interconnect）。上記の本発明の概要で記載するように、本発明の精神および範囲から離脱することなく、他の対の配置を希望されてもよい。
【００３９】
各相互接続された（interconnecting）ウェブ（web）（例えば、図９にて８４ＡＢとして示す）は、望ましくは、バットレス（buttress）７６と略同じ高さで、隣接するアーム（例えば、図９にて６８Ａと６８Ｂとして示す）の間で一体的に延在する。各相互接続された（interconnecting）ウェブ（web）８４は、さらに、構造として薄く、リング状のアーム６８の外側への湾曲と一致するように正確に湾曲していることが望ましい。また、相互接続された（interconnecting）ウェブ（web）を含むボビン８２の全ての要素は、一体的に成形されていることが望ましい。
【００４０】
予想外に、本発明の、ウェブされ（webbed）、相互接続された（interconnected）アーム６８は、湿気の耐性を有するかつ冷水内で素早く溶解できるというピル６０の能力を著しく向上させる。
【００４１】
本発明は、添付の請求項および前記の説明に含まれているものを含む。この説明は、ある程度の詳細な事項でその望ましい形態において説明されているが、望ましい形態の本開示は例示に過ぎないと理解され、本発明の精神および範囲から離脱することなく、その構造、組み合わせまたは部品の配置の詳細に対する複数の変更に頼ってもよい。
【図１】
2021521043.tif 000003
【図２】
2021521043.tif 000004
【図３】
2021521043.tif 000005
【図４】
2021521043.tif 000006
【図５】
2021521043.tif 000007
【図６】
2021521043.tif 000008
【図７】
2021521043.tif 000009
【図８】
2021521043.tif 000010
【図９】
2021521043.tif 000011
【国際調査報告】
2021521043.tif 000012